(57)【要約】      （修正有）【課題】眼鏡脚を容易に交換可能な眼鏡を提供する。【解決手段】眼鏡枠１０と２つの眼鏡脚２０とからなる。眼鏡枠１０の両側には連結ベース１１がそれぞれ設けられ、連結ベース１１には枢接孔１２及び２つの結合孔１４が設けられている。各眼鏡脚２０の先端には、２つの連結ロッド２３と枢接軸２２とが設けられ、枢接軸２２は対応する枢接孔１２内に収容されることで、各眼鏡脚２０は眼鏡枠１０に対して折り畳み収納位置と拡開位置との間に枢転可能である。眼鏡脚２０が該折り畳み収納位置にある場合、該２つの連結ロッド２３は該２つの結合孔１４と分離することで、該眼鏡脚２０は該眼鏡枠１０と分離することができる。眼鏡脚２０が該拡開位置にある場合、該２つの連結ロッド２３はそれぞれ該２つの結合孔１４内に収容される。【選択図】図２
0003211321.tif 000002
【実用新案登録請求の範囲】
【請求項１】
両側に連結ベースがそれぞれ設けらた眼鏡枠であって、該連結ベース上に枢接孔、開口及び２つの結合孔が設けられ、該枢接孔は該連結ベースの上端から該連結ベースの下端へ延在するが該下端と離間し、該枢接孔の孔壁には第１の凹部と該第１の凹部の両側に位置する２つの第２の凹部とが設けられ、該開口が該連結ベースの内表面に設けられかつ該枢接孔と連通する眼鏡枠と、
先端に結合部が設けられた２つの眼鏡脚であって、該結合部は離間した２つの連結ロッドと枢接軸とを含み、各連結ロッドは該眼鏡脚の先端から外方へ延在し、該枢接軸は該２つの連結ロッドの外端に結合されかつ該枢接軸の外周には対向する２つの端部が設けられ、該枢接軸は連結ベースに対応する枢設孔内に収容されることで、各眼鏡脚は該眼鏡枠に対して折り畳み収納位置と拡開位置との間に枢転可能である眼鏡脚と、を備え、
該眼鏡脚が該折り畳み収納位置にある場合、該枢接軸の２つの端部はそれぞれ該第１の凹部と該開口に位置し、該２つの連結ロッドと該２つの結合孔とは分離し、該眼鏡脚が該拡開位置にある場合、該枢接軸の２つの端部はそれぞれ該第２の凹部内に位置し、該２つの連結ロッドはそれぞれ該２つの結合孔内に収容されることを特徴とする眼鏡脚を容易に交換可能な眼鏡。
【請求項２】
各結合孔の孔壁には位置付け槽が設けられ、各連結ロッドにはバンプが設けられ、該眼鏡脚が該拡開位置にある場合、各バンプは対応する位置付け槽と結合されることを特徴とする請求項１に記載の眼鏡脚を容易に交換可能な眼鏡。
【請求項３】
該枢接軸の横向き断面は楕円形となっており、該枢接軸の一方の端部は該２つの連結ロッドと結合されることを特徴とする請求項１に記載の眼鏡脚を容易に交換可能な眼鏡。
【考案の詳細な説明】
【技術分野】
【０００１】
本考案は、眼鏡脚と眼鏡枠との組み合わせ構造に関し、特に異なるタイプまたは機能である眼鏡脚を容易に交換可能な眼鏡に関するものである。
【背景技術】
【０００２】
眼鏡は、一般に、眼鏡枠と、眼鏡枠の両側に枢転可能に接続された２つの眼鏡脚とからなり、各眼鏡脚は、一般に、例えばねじの枢接部材により眼鏡枠と結合されることで、眼鏡枠に対して折り畳み収納しまたは拡開することができる。しかしながら、使用者は、眼鏡脚を交換しようとする場合、通常、ねじを工具で取り外す必要があり、また、眼鏡脚を交換した後、再度工具でねじを締め付ける必要もあり、操作上の不便となり、手間が掛かる。
【０００３】
具体的には、視力矯正のための眼鏡を掛けた使用者には、仕事または運動の時に眼鏡脚交換の必要があり、使用者が頭を下げた時または汗や激しい動作に影響を受けることによって眼鏡が摺動しないし脱落することを防止する。使用者の顔上における眼鏡の移動を防止するために、後耳フックまたは弾性テープを有する交換用滑り止め眼鏡脚が知られている。しかしながら、従来の眼鏡構造は、眼鏡脚の操作上において面倒かつ手間がかかる。
【考案の概要】
【考案が解決しようとする課題】
【０００４】
そこで、本考案は、構造が簡単且つ眼鏡脚を素早く交換できる利点を有する、眼鏡脚を容易に交換可能な眼鏡を提供することを目的とする。
【課題を解決するための手段】
【０００５】
本考案に係る眼鏡は、眼鏡枠と２つの眼鏡脚とからなり、該眼鏡枠の両側には連結ベースがそれぞれ設けられ、該連結ベースには枢接孔、開口及び２つの結合孔が設けられ、該枢接孔の孔壁には第１の凹部、２つの第２の凹部が設けられている。各眼鏡脚の先端には、２つの連結ロッドと枢接軸とが設けられ、該枢接軸は該２つの連結ロッドの外端に結合され、該枢接軸の外周には２つの端部が設けられ、該枢接軸は連結ベースに対応する枢接孔内に収容されることで、各眼鏡脚は該眼鏡枠に対して折り畳み収納位置と拡開位置との間に枢転可能である。該眼鏡脚が該折り畳み収納位置にある場合、該枢接軸の両端部はそれぞれ該第１の凹部と該開口に位置し、該２つの連結ロッドは該２つの結合孔と分離する。該眼鏡脚が該拡開位置にある場合、該枢接軸の両端部はそれぞれ該２つの第２の凹部内に位置し、該２つの連結ロッドはそれぞれ該２つの結合孔内に収容される。
【考案の効果】
【０００６】
本考案に係る眼鏡脚を容易に交換可能な眼鏡によれば、眼鏡脚と眼鏡枠との組み合わせを容易に完成しかつ異なるタイプの眼鏡脚を素早く交換可能である。
【図面の簡単な説明】
【０００７】
【図１】本考案に係る実施例の眼鏡の斜視図である。
【図２】図１の眼鏡の局所構造分解図である。
【図３】図２の眼鏡脚と眼鏡枠との組み合わせ模式図であり、眼鏡脚が折り畳み収納位置にある様子を示す。
【図４】図２の眼鏡脚と眼鏡枠との組み合わせ断面図であり、眼鏡脚が拡開位置にある様子を示す。
【図５】図１の眼鏡脚を滑り止め眼鏡脚に交換する模式図である。
【図６】図５の使用者に眼鏡が掛けられた模式図である。
【考案を実施するための形態】
【０００８】
図１〜４に示すように、本考案に係る眼鏡は、眼鏡枠１０と、２つの眼鏡脚２０とを含む。眼鏡枠１０の両側には、連結ベース１１がそれぞれ設けられている。各眼鏡脚２０の先端２０１には、結合部２１が設けられている。結合部２１は、対応する連結ベース１１上に枢接されることで、各眼鏡脚２０は眼鏡枠１０に対して折り畳み収納または拡開することができる。
【０００９】
連結ベース１１には枢接孔１２、開口１３及び少なくとも１つの結合孔１４が設けられている。枢接孔１２は、連結ベース１１の上端１１１から下端１１２へ縦向きに延在するが、下端１１２と離間している。枢接孔１２の孔壁には第１の凹部１２１と、第１の凹部１２１の両側に位置する２つの第２の凹部１２２とが設けられている。各第２の凹部１２２及び第１の凹部１２１は、枢接孔１２の孔壁周囲に沿って約９０度離間している。  各第２の凹部１２２と第１の凹部１２１との間には弧形折り曲げ部１２３が設けられている。開口１３は連結ベース１１の内表面１１３に設けられかつ枢接孔１２と連通し、開口１３は第１の凹部１２１に対向している。この実施例において、連結ベース１１上に離間した２つの結合孔１４が設けられ、各結合孔１４は連結ベース１１の外端面１１４から横向きに沿って内方へ枢接孔１２まで延在し、しかも各結合孔１４の孔壁には位置付け槽１４１が設けられている。
【００１０】
結合部２１は、離間した２つの連結ロッド２３と枢接軸２２とを含む。連結ロッド２３は、眼鏡脚２０の先端２０１から該横向きに沿って外方へ延在し、各連結ロッド２３上にはバンプ２３１が設けられている。枢接軸２２は、該連結ロッド２３の外端に結合されかつ該縦向きに沿って延在している。組み立て上では、枢接軸２２は連結ベース１１の枢接孔１２の上方から枢接孔１２内に挿入されまたは開口１３を介して枢接孔１２内に挿入され、各眼鏡脚２０の枢接軸２２は連結ベース１１に対応する枢接孔１２内に収容されることで、眼鏡脚２０は枢接軸２２を軸心として眼鏡枠１０に対して折り畳み収納位置と拡開位置との間に枢転可能である。この実施例において、枢接軸２２の横向き断面は楕円形（楕円形に限定されず）となっており、枢接軸２２の外周には該横向きに対向する２つの弧形端部２２１が設けられており、そのうちの一方の端部２２１は該２つの連結ロッド２３と結合される。
【００１１】
図３は、眼鏡脚２０が該折り畳み収納位置に位置する様子を示す。そのうち、枢接軸２２の２つの端部２２１は、それぞれ第１の凹部１２１と開口１３に位置し、２つの連結ロッド２３と２つの結合孔１４とは離間している。このため、眼鏡脚２０の結合部２１は、対応する連結ベース１１の枢接孔１２内から取り外すことができる。図４は、眼鏡脚２０が該拡開位置にある様子を示す。そのうち、枢接軸２２の２つの端部２２１は、それぞれ２つの第２の凹部１２２内に位置し、２つの連結ロッド２３はそれぞれ２つの結合孔１４内に収容され、各バンプ２３１は対応する位置付け槽１４１と結合されることで、眼鏡脚２０は該拡開位置に位置付けすることができる。眼鏡脚２０が拡開位置と折り畳み収納位置との間に移動している場合には、枢接軸２２の外表面はそのうちの一方の折り曲げ部１２３と接触する。
【００１２】
図５は、図１の２つの眼鏡脚２０を滑り止め眼鏡脚に変換する様子を示す。該滑り止め眼鏡脚は、２つの短い眼鏡脚２０ａと、該２つの短い眼鏡脚２０ａに接続された弾性テープ２４とを含み、各短い眼鏡脚２０ａの先端２０１は同様に２つの連結ロッド２３と枢接軸２２とを含む。眼鏡脚２０の交換操作は、各眼鏡脚２０を折り畳み位置に移動して、各眼鏡脚２０の枢接軸２２を上方へ移動させ、枢接孔１２と離間する。次に、各眼鏡脚２０ａの枢接軸２２を対応する枢接孔１２内に結合することにより、眼鏡脚の交換を速やかに完成することができる。図６は、使用者が本考案に係る眼鏡を掛けている模式図である。そのうち、図５の弾性テープ２４は、汗や激しい動作に影響を受けることによる眼鏡の摺動を防止可能である。使用者は、仕事または運動前に、図１の眼鏡脚２０を図５の滑り止め眼鏡脚に容易に交換することができる。
【００１３】
本考案に係る眼鏡は、眼鏡脚交換の実施において、工具を使用する必要がないため、極めて利便である。さらに、眼鏡脚２０は、拡開位置において優れた位置付け効果を有する。
【００１４】
以上のように、本考案では、両側に連結ベースがそれぞれ設けらた眼鏡枠であって、該連結ベース上に枢接孔、開口及び２つの結合孔が設けられ、該枢接孔は該連結ベースの上端から該連結ベースの下端へ延在するが該下端と離間し、該枢接孔の孔壁には第１の凹部と該第１の凹部の両側に位置する２つの第２の凹部とが設けられ、該開口が該連結ベースの内表面に設けられかつ該枢接孔と連通する眼鏡枠と、先端に結合部が設けられた２つの眼鏡脚であって、該結合部は離間した２つの連結ロッドと枢接軸とを含み、各連結ロッドは該眼鏡脚の先端から外方へ延在し、該枢接軸は該２つの連結ロッドの外端に結合されかつ該枢接軸の外周には対向する２つの端部が設けられ、該枢接軸は連結ベースに対応する枢設孔内に収容されることで、各眼鏡脚は該眼鏡枠に対して折り畳み収納位置と拡開位置との間に枢転可能である眼鏡脚と、を備え、該眼鏡脚が該折り畳み収納位置にある場合、該枢接軸の２つの端部はそれぞれ該第１の凹部と該開口に位置し、該２つの連結ロッドと該２つの結合孔とは分離し、該眼鏡脚が該拡開位置にある場合、該枢接軸の２つの端部はそれぞれ該第２の凹部内に位置し、該２つの連結ロッドはそれぞれ該２つの結合孔内に収容されることを特徴とする眼鏡脚を容易に交換可能な眼鏡とするものである。
【００１５】
また、各結合孔の孔壁には位置付け槽が設けられ、各連結ロッドにはバンプが設けられ、該眼鏡脚が該拡開位置にある場合、各バンプは対応する位置付け槽と結合されるものとする。
【００１６】
また、該枢接軸の横向き断面は楕円形となっており、該枢接軸の一方の端部は該２つの連結ロッドと結合されるものとする。
【産業上の利用可能性】
【００１７】
本考案に係る眼鏡脚を容易に交換可能な眼鏡によれば、眼鏡脚と眼鏡枠との組み合わせを容易に完成しかつ異なるタイプの眼鏡脚を素早く交換可能である。
【符号の説明】
【００１８】
１０  眼鏡枠
１１  連結ベース
１１１  上端
１１２  下端
１１３  内表面
１１４  外端面
１２  枢接孔
１２１  第１の凹部
１２２  第２の凹部
１２３  折り曲げ部
１３  開口
１４  結合孔
１４１  位置付け槽
２０  眼鏡脚
２０ａ  短い眼鏡脚
２０１  先端
２１  結合部
２２  枢接軸
２２１  端部
２３  連結ロッド
２３１  バンプ
２４  弾性テープ
【図１】
0003211321.tif 000003
【図２】
0003211321.tif 000004
【図３】
0003211321.tif 000005
【図４】
0003211321.tif 000006
【図５】
0003211321.tif 000007
【図６】
0003211321.tif 000008